【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
プリンタであって、
前記プリンタに隣接して設けられた被印刷物上に選択的にマークを生成させるように構成された印刷ヘッドであって、該印刷ヘッドが印刷面から離間して配置された第１の構成と、印刷動作中に前記印刷ヘッドが前記被印刷物を前記印刷面に対して押圧するように構成される第２の構成とを有する印刷ヘッドと、
前記第１の構成と前記第２の構成との間で前記印刷面に向かい及び該印刷面から離れる前記印刷ヘッドの移動を引き起こすように構成され、永久磁石と電磁石とを含む印刷ヘッド駆動組立体と、
を備え、
前記電磁石が第１の状態にある時に、前記永久磁石と前記電磁石との間に吸引磁力が発生し、前記電磁石が第２の状態にある時に、前記永久磁石と前記電磁石との間に反発磁力が発生し、前記吸引磁力及び前記反発磁力の各々が、前記印刷ヘッドを前記印刷面から離れるように付勢する段階及び前記印刷面に向かって付勢する段階のうちの一方を行うように構成され、
前記印刷ヘッド駆動組立体は、前記印刷ヘッドが、前記第１及び第２の構成の各々にある時に、前記電磁石が前記第１の状態にある時の前記印刷ヘッド駆動組立体によって当該構成に保持され、前記永久磁石と前記電磁石との間に発生する前記吸引磁力によって前記第１及び第２の構成のうちの一方に保持されるように構成される、
ことを特徴とするプリンタ。
【請求項２】
前記印刷ヘッド駆動組立体は、弾性付勢部材を更に備え、前記印刷ヘッドは、前記弾性付勢部材が発生させる力によって前記第１及び第２の構成のうちの他方に保持される、ことを特徴とする請求項１に記載のプリンタ。
【請求項３】
前記第１の状態において、前記電磁石は消磁状態にあり、前記永久磁石は、該永久磁石と前記電磁石との間に吸引力を発生させるように構成される、ことを特徴とする請求項１又は請求項２に記載のプリンタ。
【請求項４】
前記第２の状態において、前記電磁石は第１の方向に励磁され、前記永久磁石と前記電磁石との間に反発力が発生するようになる、ことを特徴とする請求項１から請求項３のうちの何れかに記載のプリンタ。
【請求項５】
第３の状態において、前記電磁石は第２の方向に励磁され、前記永久磁石と前記電磁石との間に第２の吸引力が発生するようになる、ことを特徴とする請求項１から請求項４のうちの何れかに記載のプリンタ。
【請求項６】
前記印刷ヘッド駆動組立体は、印刷動作中に前記印刷ヘッドを前記印刷面に対して印刷力によって押圧するように構成され、
前記印刷力は、前記弾性付勢部材によって少なくとも部分的に発生する、ことを特徴とする請求項２に記載のプリンタ。
【請求項７】
前記印刷ヘッドは、前記永久磁石によって少なくとも部分的に発生させる磁力によって前記印刷面から離れる方向に付勢される、ことを特徴とする請求項１から請求項６のうちの何れかに記載のプリンタ。
【請求項８】
前記第１及び第２の構成は、安定した構成である、ことを特徴とする請求項１から請求項７のうちの何れかに記載のプリンタ。
【請求項９】
前記印刷ヘッドは、前記第１の構成にある時に、前記電磁石が発生させる磁力によって前記第２の構成に向かって移動する、ことを特徴とする請求項１から請求項８のうちの何れかに記載のプリンタ。
【請求項１０】
前記印刷ヘッドは、前記第２の構成にある時に、前記電磁石が発生させる力によって前記第１の構成に向かって移動する、ことを特徴とする請求項１から請求項９のうちの何れかに記載のプリンタ。
【請求項１１】
前記印刷力は、前記弾性付勢部材が発生させる第１の力成分と、前記電磁石が発生させる第２の力成分とを含む、ことを特徴とする請求項６に記載のプリンタ。
【請求項１２】
印刷ヘッド位置信号を発生させるように構成された印刷ヘッド位置センサを更に備え、前記印刷ヘッド位置信号に基づいて前記電磁石が制御される、請求項１から請求項１１のうちの何れかに記載のプリンタ。
【請求項１３】
前記電磁石は、前記印刷ヘッドと前記印刷面との衝撃力を制御するように制御される、ことを特徴とする請求項１から請求項１２のうちの何れかに記載のプリンタ。
【請求項１４】
前記印刷ヘッド駆動組立体を制御するように配列されたコントローラを更に備え、
前記コントローラは、前記電磁石の属性を監視するように配列され、そして前記監視された属性に基づいて前記電磁石に対する制御信号を発生させるように配列される、ことを特徴とする請求項１から請求項１３のうちの何れかに記載のプリンタ。
【請求項１５】
前記コントローラは、
前記印刷ヘッド駆動組立体の第１の移動の際に前記電磁石の前記属性を監視し、
前記監視される属性に基づいて前記印刷ヘッド駆動組立体の第２の移動における前記電磁石に対する制御信号を発生させる、
ように配列される、ことを特徴とする請求項１４に記載のプリンタ。
【請求項１６】
前記印刷ヘッド駆動組立体を制御するように配列されたコントローラを更に備え、前記コントローラは、前記印刷ヘッド位置信号を受け取り、前記印刷ヘッド位置信号に基づいて前記印刷ヘッド駆動組立体に対する制御信号を発生させるように構成される、ことを特徴とする請求項１２に記載のプリンタ。
【請求項１７】
前記コントローラは、ターゲット印刷ヘッド位置を受け取り、該ターゲット印刷ヘッド位置に基づいて前記印刷ヘッド駆動組立体に対する制御信号を発生させるように更に配列される、ことを特徴とする請求項１６に記載のプリンタ。
【請求項１８】
前記印刷ヘッド駆動組立体を制御するように配列されたコントローラを更に備え、前記コントローラは、前記印刷ヘッド駆動組立体によって発生されるターゲット力出力を示すデータを発生させるように配列される、ことを特徴とする請求項１から請求項１３の何れかに記載のプリンタ。
【請求項１９】
前記コントローラは、前記ターゲット力出力と前記印刷ヘッドの位置に基づいてターゲット電磁石電流を示すデータを発生させるように配列される、ことを特徴とする請求項１８に記載のプリンタ。
【請求項２０】
前記印刷ヘッド駆動組立体を制御するように配列されたコントローラを更に備え、前記コントローラは、電磁石電流と印刷ヘッド位置及び印刷ヘッド駆動組立体力出力との間の関係を示す基準データに基づいて、ターゲット電磁石電流を示すデータを発生させるように配列される、ことを特徴とする請求項１から請求項１３の何れかに記載のプリンタ。
【請求項２１】
前記電磁石内を流れる実電流を示す出力を発生させるように構成された電流センサを更に備え、
前記コントローラは、前記ターゲット電磁石電流を示すデータ及び前記実電流を示す出力に基づいて印刷ヘッド駆動組立体制御信号を発生させるように配列される、ことを特徴とする請求項１９又は請求項２０に記載のプリンタ。
【請求項２２】
前記プリンタは熱転写プリンタであり、前記印刷ヘッドは、前記被印刷物上に前記マークを生成するためにインク担持リボンから該被印刷物上にインクを転写するように選択的に励磁されるように構成される、ことを特徴とする請求項１から請求項２１のうちの何れかに記載のプリンタ。
【請求項２３】
プリンタ用コントローラであって、
前記プリンタが、
前記プリンタに隣接して設けられた被印刷物上に選択的にマークを生成させるように構成された印刷ヘッドであって、該印刷ヘッドが印刷面から離間して配置された第１の構成と、印刷動作中に前記印刷ヘッドが前記被印刷物を前記印刷面に対して押圧するように構成される第２の構成とを有する印刷ヘッドと、
前記第１の構成と前記第２の構成との間で前記印刷面に向かい及び該印刷面から離れる前記印刷ヘッドの移動を引き起こすように構成され、永久磁石と電磁石とを含む印刷ヘッド駆動組立体と、
を備え、
前記電磁石が第１の状態にある時に、前記永久磁石と前記電磁石との間に吸引磁力が発生し、前記電磁石が第２の状態にある時に、前記永久磁石と前記電磁石との間に反発磁力が発生し、前記吸引磁力及び前記反発磁力の各々が、前記印刷ヘッドを前記印刷面から離れるように付勢する段階及び前記印刷面に向かって付勢する段階のうちの一方を行うように構成され、
前記印刷ヘッド駆動組立体は、前記印刷ヘッドが、前記第１及び第２の構成の各々にある時に、前記電磁石が前記第１の状態にある時の前記印刷ヘッド駆動組立体によって当該構成に保持され、前記永久磁石と前記電磁石との間に発生する前記吸引磁力によって前記第１及び第２の構成のうちの一方に保持されるように構成され、
前記コントローラは、前記印刷ヘッド駆動組立体に、前記印刷面に向かい及び該印刷面から離れる前記印刷ヘッドの移動を引き起こさせ、更に前記印刷ヘッドを前記第１及び第２の構成の各々に保持させるように、前記電磁石の励磁状態を制御するように構成される、ことを特徴とするコントローラ。
【請求項２４】
プリンタの印刷ヘッド駆動組立体を制御する方法であって、
前記プリンタが、
前記プリンタに隣接して設けられた被印刷物上に選択的にマークを生成させるように構成された印刷ヘッドであって、該印刷ヘッドが印刷面から離間して配置された第１の構成と、印刷動作中に前記印刷ヘッドが前記被印刷物を前記印刷面に対して押圧するように構成される第２の構成とを有する印刷ヘッドと、
前記第１の構成と前記第２の構成との間で前記印刷面に向かい及び該印刷面から離れる前記印刷ヘッドの移動を引き起こすように構成され、永久磁石と電磁石とを含む前記印刷ヘッド駆動組立体と、
を備え、更に、
前記電磁石が第１の状態にある時に、前記永久磁石と前記電磁石との間に吸引磁力が発生し、前記電磁石が第２の状態にある時に、前記永久磁石と前記電磁石との間に反発磁力が発生し、前記吸引磁力及び前記反発磁力の各々が、前記印刷ヘッドを前記印刷面から離れるように付勢する段階及び前記印刷面に向かって付勢する段階のうちの一方を行うように構成され、
前記印刷ヘッドが、前記第１及び第２の構成の各々にある時に、前記電磁石が前記第１の状態にある時の前記印刷ヘッド駆動組立体によって当該構成に保持され、前記永久磁石と前記電磁石との間に発生する前記吸引磁力によって前記第１及び第２の構成のうちの一方に保持されるように構成され、
前記方法が、
前記印刷面に向かい及び該印刷面から離れる前記印刷ヘッドの移動を前記印刷ヘッド駆動組立体に引き起こさせるように前記電磁石の励磁状態を制御する段階と、
前記印刷ヘッドを前記第１及び第２の構成の各々に保持するように前記電磁石の前記励磁状態を制御する段階と、
印刷動作中に前記印刷ヘッドが前記被印刷物を前記印刷面に対して押圧するように前記電磁石の前記励磁状態を制御する段階と、
を含む方法。
【請求項２５】
請求項２４に記載の方法を実施するように配列されたコンピュータ読み取り可能命令を備えるコンピュータプログラムを保持するコンピュータ読み取り可能媒体。
【請求項２６】
プリンタ用の印刷ヘッドであって、
前記印刷ヘッドの第１の面に付随し、各々が、前記印刷ヘッドに隣接して設けられた被印刷物上にマークを生成するように選択的に励磁されるように構成された複数の印刷要素と、
前記印刷ヘッドの位置を示す信号を発生させるように配列され、前記第１の面のほぼ反対側にある前記印刷ヘッドの第２の面に付随する印刷ヘッド位置センサと、
を備える印刷ヘッド。
【請求項２７】
前記印刷ヘッド位置センサは、印刷面に向かい及び該印刷面から離れる前記印刷ヘッドの移動中に前記印刷ヘッドの一部分と基準場所との間の離隔距離を示す信号を発生させるように構成される、ことを特徴とする請求項２６に記載の印刷ヘッド。
【請求項２８】
前記印刷ヘッド位置センサは、基準場所から信号を受け取るように配列されたレシーバを備える、ことを特徴とする請求項２６に記載の印刷ヘッド。
【請求項２９】
前記印刷ヘッド位置センサは、前記基準場所に向かって信号を放出するように配列されたエミッタを備え、
前記レシーバは、前記基準場所によって反射された反射信号を受け取るように配列され、前記反射信号が前記エミッタによって放出された前記信号に基づく、ことを特徴とする請求項２８に記載の印刷ヘッド。
【請求項３０】
プリンタ用の印刷ヘッドであって、前記プリンタが、印刷面に向かい及び該印刷面から離れる前記印刷ヘッドの移動を引き起こすように構成され且つ電磁石を含む印刷ヘッド駆動組立体を備え、前記印刷ヘッド及び前記印刷ヘッド駆動組立体が、前記印刷面に対して実質的に平行な方向に移動するように配列され、
前記印刷ヘッドが、
前記印刷ヘッドの第１の面に付随し、各々が、前記印刷ヘッドに隣接して設けられた被印刷物上にマークを生成するように選択的に励磁されるように構成された複数の印刷要素と、
印刷ヘッド駆動組立体制御信号を前記印刷ヘッド駆動組立体に供給するように構成された印刷ヘッド駆動組立体制御接続部と、
を備える、印刷ヘッド。